(57)【要約】      （修正有）【課題】従来の絵画は平らな紙又は布に遠近、陰影によって立体感を表している。立体画もいろいろな方法があるが、使う場所や用途によって違い、安価で均一性があり、詳細な細工を施した芸術性のあるものが望まれる。【解決手段】故紙を水中で粉砕して吸引による強制的紙漉きの方法で成形して立体画を造る。刃物で細工したり、磨く場合は刃物切れのよい配合物を混入する。個々の立体絵画より個体を切り取り、組み合わせて別の題材を造ったり、個体をポスター又は写真を背景に貼り付けたり、再度使用して作品の幅を拡げてコストダウンを計る。【選択図】図１
2009160801.tif 000002
【特許請求の範囲】
【請求項１】
ダルマなどの製作に使われている合わせ型成形器の片側を造る要領で人物、静物、風景等を題材として凹凸や丸みを付けた絵画下地の成型器具（図１）を製作して吸引成型する。脱水を早めるため送風加圧装置（図３）を組み合わせ、浮き出たような形態を持つ立体絵画を、紙を紛砕したネタで造る方法。
【請求項２】
紙を粉砕したネタに刃物切れのよい珪酸カルシウム、ヒル石、接着剤等を混入した混合ネタを吸引成型して生地を造り、乾燥後、彫刻、盛り上がった線引き、盛り付けなど加工を施して立体絵画をより詳細に製作する方法。
【請求項３】
人物、静物、風景を題材として吸引成形された生地の中から選抜して切り抜いた個体どうし組み合わせたり、写真の風景を背景として切り抜いた個体を貼り付けたり、再度組み合わせ使用して造る形態を有する立体絵画製作の方法。
【発明の詳細な説明】
【技術分野】
【０００１】
本発明は風景及び人物を立体感があるように、浮き出したり凹みを造ったりして製作した生地に刃物で削ったり、線を入れることにより、重厚な出来ばえの立体絵画を造ることに関する。
【背景技術】
【０００２】
従来の絵画は平らな紙又は布に遠近、陰影によって、風景及び人物、静物を描いている。１部の立体絵画に漆喰、油絵画材、紙、木材等の材料で立体絵画を造っているものもある。また、銅や鋳物で製作されたものもある。作者の技術や題材の選定のより作風が一件毎に異なり同じものを量産する事はたいへん困難である。
最近は写真に油絵画材を使って立体的に仕上げる作者もいるが、厚みを絵具で表すことは困難であり、コスト面で問題がある。      
【特許文献１】公開特許公報  平１１−５４００
【特許文献２】公開特許公報  ２００３−１９１７００
【発明の開示】
【発明が解決しようとする課題】
【０００３】
土産品として、その地域又は催し物キャラクターなどを造ることについて省力的で均一性があり、しかも芸術的なものが欲しいと誰もが思っていた。
銅や鋳物で造ったものは耐久性に優れているが、石膏、砂などの型に流し込んで造るためコストが高くなる。写真に上絵を描いたものは輪郭、配置などは実物そのものであるが、厚みをとることが難しく、立体感に乏しい。安価に仕上げるため、均一性があり量的生産と省力的な下地画材の製作が望まれる。
【課題を解決するための手段】
【０００４】
本発明はそれらの問題を解決するため、人物、風景、静物等の題材を選んで凹凸や丸みを付け、立体感のある平面図柄を構成し、アルミ鋳物、強化プラスチックなどで成形下地１を造り、ドリル穴２をあけ、金網３を張って裏面を箱型（図１）に製作する。ダルマなどをつくるとき使われている合わせ型成形器の片側を造る要領である。その成形器（図１）より連結ホースで真空ポンプへ接続する。
【０００５】
吸引成形するとき目的や用途によって方法が異ってくる。水槽内に成形器を漬け込み吸引する方法では均一な厚さのものが出来るが、混合ネタの比重の差によって沈殿分離するため、絶えず撹拌しなければならない。
また、成形器を外部で水平に置きネタを容器ですくい込み成形する方法では、厚さが不揃いではあるが、乾燥後、刃物で細工する箇所を刃物切れのよい物品の配合と濃度のネタを先に入れたり厚さを加減することができる。
以上二つの方法を組み合わせるやり方も有効である。
吸引成形後、型より取り外すためには脱水することが必要で、コンプレッサー及び送風機を使用して脱水乾燥を早くする。その手段として、（図３）のような送風加圧装置を押し当てたり、金具で取り付ける構造とする。
成形後、乾燥して刃物やグラインダーを使って削り、磨き、コーキング用のガンまたはケーキなどで使用するしぼり器具を使って細く盛り上がった線引き、吹付用のベース材で盛付たり、細工を施し、詳細にほぼ同規格に下地画材を数多く生産する。
【０００６】
本発明によりほぼ同規格のものが安価で大量に生産することが可能になり、乾燥後加工を施してより詳細な仕上げをする。生地の中から選抜して切り抜いた個体を組み合わせたり、写真の風景を背景に切り抜いた個体を貼り付けたりすることによって再度使用するため、製作の幅が広くなり、コストダウンできる。
【発明を実施するための最良の形態】
【０００７】
立体絵画の題材の選定にあたり、角の多いもの、細い線、細かい木の葉など成形下地型を製作したり、金網を張ったりの作業が困難なものは避けることである。
詳細な背景が必要なときは、写真をバックに他の立体画を切り抜き、個体を貼り付け色付けして１つの立体画とする。刃物で線の切込みを入れたり、塗料の吹付けベース材や変性シリコーン、床材接着剤等で鉢巻、帯締め、大き目のネックレス等、盛り上がった形状を表すために線引き作業で詳細に仕上げることができる。                            また、背景にクロス材４を使ったり、海岸のイメージを出すため小亀６と水着姿で踊る女５を組み合わせたり、砂７を接着したりする。  樹脂塗料で上塗りして仕上げれば、より真実感がする。立体絵画のため荷傷が心配されるため、厚みのある額縁８に入れるなどして保護する。
【実施例】
【０００８】
孵化したばかりの数多くの小亀が砂浜を海に向かって旅立つ姿を題材に製作した立体絵画（特許請求項１）より、小亀の個体を切り抜き、塗装して仕上げる。
別の題材で造られた水着姿で踊る女性５と小亀６を組み合わせ、孵化したばかりの小亀がこれから大きな海へ旅立つ情景を描き、「旅立ち踊り」と言葉を入れて縁起物として付加価値を高めた組み合わせによる立体絵画（図４）を造る（特許請求項３）。さらに、小亀が活動するのは夜のため、踊る姿の女性の手には阿波踊りに使われる提燈を持ち、水着姿のため浴衣姿のような艶やかさが無いため、大き目のネックレス１１や紅白のねじり鉢巻１２をシリコンシーランと吹付用ベース材でかたどる。また、水着の肩紐など盛り上がった線引きを、コーキングガン又はケーキなどを作るとき使う絞り器で線引きしたり、削り磨き加工して詳細に仕上げる（特許請求項２）。
【０００９】
１００円ショップで販売されている大き目の木製壁掛に小亀６と砂７を接着して孵化したばかりの数匹の小亀が大海に亀が「旅立ち」姿を連想させた縁起壁掛けをつくる（図５）。また、亀は万年と言われるように縁起のよいものとされているので、小さな木製壁掛に小亀６と砂７を接着して魔除けの縁起壁掛けとする（図６）を造る。もっと簡単で安価な物は、短歌など書き込む短冊色紙１４に吸盤１３を付け、小亀６や砂７を接着して安価な土産品を製作する（図７）。
【図面の簡単な説明】
【００１０】
【図１】吸引成形器の斜視図
【図２】Ａ−Ａ′断面拡大図
【図３】送風加圧装置
【図４】個体を切り抜き組み合わせた立体絵画
【図５】「旅立ち」の木製壁掛
【図６】小型で魔除けの木製壁掛
【図７】吸盤付短冊飾り
【符号の説明】
【００１１】
１  成形下地
２  ドリル穴
３  金網
４  クロス
５  水着で踊る女
６  小亀
７  砂
８  額縁
９  大きめの木製壁掛け
１０  小さめの木製壁掛け
１１  太めのネックレス
１２  紅白のねじり鉢巻
１３  吸盤
１４  短冊色紙
【図１】
2009160801.tif 000003
【図２】
2009160801.tif 000004
【図３】
2009160801.tif 000005
【図４】
2009160801.tif 000006
【図５】
2009160801.tif 000007
【図６】
2009160801.tif 000008
【図７】
2009160801.tif 000009